(57)【要約】【課題】使用性を向上できる扉開閉機構を提供することを目的とする。【解決手段】機器本体５の開口部２ａの中程を境に両側を覆うとともに開口部２ａの両端部でそれぞれ枢支される第１扉１１及び第２扉１２と、第１扉１１の開放端に回動可能に設けられる回動仕切体２０と、回動仕切体２０を回動案内して第１扉１１の閉止時に第１扉１１の側端面１１ｃから突出する閉止位置に配置するとともに第１扉１１の開成時に第１扉１１の側端面１１ｃと略同一面上に配置するガイド機構とを備えた扉開閉機構１０において、ガイド機構が機器本体５及び回動仕切体２０の一方に設けられる突出部２２と他方に設けられて突出部２２を案内するガイド部３０とを有し、突出部２２及びガイド部３０の一方が軸方向に付勢され、閉止位置に回動仕切体２０を配した第１扉１１を開いて所定値よりも大きい力で他方に衝突した際に軸方向に退避する。【選択図】図４
2014214993.tif 000002
【特許請求の範囲】
【請求項１】
機器本体の開口部の中程を境に両側を覆うとともに前記開口部の両端部でそれぞれ枢支される第１扉及び第２扉と、第１扉の開放端に回動可能に設けられる回動仕切体と、前記回動仕切体を回動案内して第１扉の閉止時に第１扉の側端面から突出する閉止位置に配置するとともに第１扉の開成時に第１扉の側端面と略同一面上に配置するガイド機構とを備えた扉開閉機構において、
前記ガイド機構が前記機器本体及び前記回動仕切体の一方に設けられる突出部と他方に設けられて前記突出部を案内するガイド部とを有し、
前記突出部及び前記ガイド部の一方が軸方向に付勢され、前記閉止位置に前記回動仕切体を配した第１扉を開いて所定値よりも大きい力で他方に衝突した際に軸方向に退避することを特徴とする扉開閉機構。
【請求項２】
前記閉止位置に前記回動仕切体を配した第１扉を開く際に前記ガイド部及び前記突出部の互いに当接する面の一方が傾斜面から成ることを特徴とする請求項１に記載の扉開閉機構。
【請求項３】
前記閉止位置に前記回動仕切体を配した第１扉を閉じる際に前記ガイド部及び前記突出部の一方が所定値よりも大きい力で他方に衝突した際に軸方向に退避することを特徴とする請求項１または請求項２に記載の扉開閉機構。
【請求項４】
前記閉止位置に前記回動仕切体を配した第１扉を閉じる際に前記ガイド部及び前記突出部の互いに当接する面の一方が傾斜面から成ることを特徴とする請求項３に記載の扉開閉機構。
【請求項５】
請求項１〜請求項４のいずれかに記載の扉開閉機構を備えたことを特徴とする冷蔵庫。
【発明の詳細な説明】
【技術分野】
【０００１】
本発明は、開口部の中程を境に両側を覆う第１扉及び第２扉を有した扉開閉機構及びそれを備えた冷蔵庫に関する。
【背景技術】
【０００２】
開口部の中程を境に両側を覆う第１扉及び第２扉を有した扉開閉機構を備えた冷蔵庫は特許文献１に開示されている。この冷蔵庫は冷蔵室を有する本体部を備え、冷蔵室の前面の開口部を開閉する第１扉及び第２扉を有した扉開閉機構が設けられる。
【０００３】
第１扉及び第２扉は開口部の中程を境に両側を覆い、開口部の両端の枢支軸で枢支される。第１扉及び第２扉の両方を閉じた状態で第１扉と第２扉との間には開閉時の干渉を防止する隙間が設けられる。第１扉及び第２扉の互いに近い側の端部には把手がそれぞれ設けられる。使用者が把手を把持して第１扉及び第２扉を手前に引くと、第１扉及び第２扉は左右に回動して開かれる。
【０００４】
第１扉の開放端には上下方向に細長く延びる板状の回動仕切体が設けられている。回動仕切体は第１扉の背面側に設けた支持部により軸支され、第１扉の枢支軸に平行な軸を中心に回動可能になっている。
【０００５】
回動仕切体の上端面には突出部が固定して設けられている。また、冷蔵室の天面の前端部の中央部には突出部を案内するガイド部が固定して設けられている。第１扉の開閉動作により突出部がガイド部に案内されると、回動仕切体は第１扉の開閉動作に連動して回動する。
【０００６】
上記構成の扉開閉機構を備えた冷蔵庫において、第１扉の閉止時には回動仕切体は第１扉の側端面から突出する閉止位置に配置されている。第１扉を閉止状態から開くと、突出部がガイド部に案内されて回動仕切体は回動する。これにより、第１扉の開成時には回動仕切体は第１扉の側端面と略同一面上に配置される。したがって、回動仕切体と第２扉との干渉が回避される。
【０００７】
第１扉を開放状態から閉じると、突出部がガイド部に案内されて回動仕切体は回動する。これにより、回動仕切体は閉止位置に配置される。この時、第２扉を閉じると、回動仕切体は第１扉及び第２扉の背面に跨る。これにより、第１扉と第２扉との間の隙間による冷気漏れが防止される。
【先行技術文献】
【特許文献】
【０００８】
【特許文献１】特開２００９−２５０６０２号公報（第４頁、第５頁、第３図、第４図）
【発明の概要】
【発明が解決しようとする課題】
【０００９】
上記従来の扉開閉機構を備えた冷蔵庫によると、第１扉の閉止時に第２扉が開いている場合に、使用者は回動仕切体を把持して第１扉を開けようとすることがある。特に使用者が第２扉を開けて冷蔵室内を覗き込みながら閉止状態の第１扉を開けようとする場合には回動仕切体が把持される機会が一層多くなる。
【００１０】
しかしながら、使用者が回動仕切体を把持して第１扉を引いても、突出部がガイド部に引っ掛かるため突出部はガイド部から抜け出ることができない。このため、使用者は回動仕切体を把持して第１扉を開けることはできない。この時、さらに力を加えて第１扉を引くと、突出部またはガイド部が破損するおそれがある。
【００１１】
このため、使用者は第１扉を開ける際には回動仕切体から手を離して第１扉の把手を把持する必要がある。したがって、扉開閉機構の使用性が低下するという問題があった。
【００１２】
本発明は、使用性を向上できる扉開閉機構及びそれを備えた冷蔵庫を提供することを目的とする。
【課題を解決するための手段】
【００１３】
上記目的を達成するために本発明の扉開閉機構は、機器本体の開口部の中程を境に両側を覆うとともに前記開口部の両端部でそれぞれ枢支される第１扉及び第２扉と、第１扉の開放端に回動可能に設けられる回動仕切体と、前記回動仕切体を回動案内して第１扉の閉止時に第１扉の側端面から突出する閉止位置に配置するとともに第１扉の開成時に第１扉の側端面と略同一面上に配置するガイド機構とを備えた扉開閉機構において、
前記ガイド機構が前記機器本体及び前記回動仕切体の一方に設けられる突出部と他方に設けられて前記突出部を案内するガイド部とを有し、
前記突出部及び前記ガイド部の一方が軸方向に付勢され、前記閉止位置に前記回動仕切体を配した第１扉を開いて所定値よりも大きい力で他方に衝突した際に軸方向に退避することを特徴としている。
【００１４】
この構成によると、機器本体及び回動仕切体の一方に設けられる突出部と他方に設けられて突出部を案内するガイド部とを有し、突出部及びガイド部の一方が軸方向に付勢される。第１扉の閉止時には回動仕切体は第１扉の側端面から突出する閉止位置に配置される。第１扉を閉止状態から開くと、突出部がガイド部に案内されて回動仕切体は第１扉の枢支軸に平行な軸を中心に回動する。これにより、第１扉の開成時には回動仕切体は第１扉の側端面と略同一面上に配置される。そして、閉止位置に回動仕切体を配した第１扉を開いて突出部及びガイド部の一方が所定値よりも大きい力で他方に衝突した際に軸方向に退避する。これにより、使用者は閉止位置の回動仕切体を把持して第１扉を開くことができる。
【００１５】
また本発明は、上記構成の扉開閉機構において、前記閉止位置に前記回動仕切体を配した第１扉を開く際に前記ガイド部及び前記突出部の互いに当接する面の一方が傾斜面から成ることが好ましい。この構成によると、閉止位置に回動仕切体を配した第１扉を開いて突出部及びガイド部の一方が所定値よりも大きい力で他方に衝突した際に傾斜面に沿って移動する。
【００１６】
また本発明は、上記構成の扉開閉機構において、前記閉止位置に前記回動仕切体を配した第１扉を閉じる際に前記ガイド部及び前記突出部の一方が所定値よりも大きい力で他方に衝突した際に軸方向に退避するとより好ましい。この構成によると、閉止位置に回動仕切体を配した第１扉を閉めることができる。
【００１７】
また本発明は、上記構成の扉開閉機構において、前記閉止位置に前記回動仕切体を配した第１扉を閉じる際に前記ガイド部及び前記突出部の互いに当接する面の一方が傾斜面から成るとより好ましい。この構成によると、閉止位置に回動仕切体を配した第１扉を閉じる際にガイド部及び突出部の一方が所定値よりも大きい力で他方に衝突した際に傾斜面に沿って移動する。
【００１８】
また本発明の冷蔵庫は、上記構成の扉開閉機構を備えたことを特徴としている。
【発明の効果】
【００１９】
本発明によると、突出部及びガイド部の一方が軸方向に付勢され、閉止位置に回動仕切体を配した第１扉を開いて所定値よりも大きい力で他方に衝突した際に軸方向に退避する。これにより、使用者は回動仕切体を把持して第１扉を開くことができる。したがって、扉開閉機構の使用性を向上させることができる。
【図面の簡単な説明】
【００２０】
【図１】本発明の第１実施形態の扉開閉機構を備えた冷蔵庫を示す正面図
【図２】本発明の第１実施形態の扉開閉機構を備えた冷蔵庫を示す上面断面図
【図３】本発明の第１実施形態の扉開閉機構の要部を示す上面断面図
【図４】図３のＡ−Ａ断面図
【図５】本発明の第１実施形態の扉開閉機構のガイド部の底面図
【図６】本発明の第１実施形態の扉開閉機構の第１扉の閉じた状態を示す上面断面図
【図７】本発明の第１実施形態の扉開閉機構の第１扉の開いた状態を示す上面断面図
【図８】本発明の第２実施形態の扉開閉機構の第１扉の側面図
【図９】図８のＢ−Ｂ断面図
【図１０】本発明の第３実施形態の扉開閉機構の第１扉を閉じた状態において回動仕切体の第２扉側の端部を前方に引いた状態を示す上面断面図
【発明を実施するための形態】
【００２１】
＜第１実施形態＞
以下に本発明の実施形態を図面を参照して説明する。図１は第１実施形態の扉開閉機構を備えた冷蔵庫の正面図を示している。図２は扉開閉機構を備えた冷蔵庫の上面断面図を示している。冷蔵庫１は本体部５に冷蔵室２及び冷凍室３が区分けして設けられる。また、冷蔵室２の前面の開口部２ａを開閉する第１扉１１及び第２扉１２を有した扉開閉機構１０が冷蔵庫１に設けられる。冷凍室３の前面の開口部（不図示）は扉３ａ、３ｂにより開閉される。
【００２２】
第１扉１１及び第２扉１２は開口部２ａの中程を境に両側を覆い、開口部２ａの両端の軸部１１ａ、１２ａ（枢支軸）で枢支される。第１扉１１及び第２扉１２の両方を閉じた状態で第１扉１１と第２扉１２との間には隙間Ｇが設けられる。これにより、第１扉１１、第２扉１２を開閉する際に、第１扉１１と第２扉１２との干渉が回避される。
【００２３】
第１扉１１及び第２扉１２の下端部には把手１１ｂ、１２ｂが設けられる。把手１１ｂ、１２ｂはそれぞれ第１扉１１及び第２扉１２の下面に凹設された凹部により形成される。把手１１ｂ、１２ｂを把持してそれぞれ第１扉１１及び第２扉１２が左右に回動して開かれる。
【００２４】
第１扉１１の第２扉１２に近い側の端部（第１扉１１の開放側の端部）には回動仕切体２０が設けられる。回動仕切体２０は上下方向（軸部１１ａ、１２ａの軸方向）に延びる細長い板状部材から成り、回動仕切体２０の上下方向の長さは冷蔵室２の上下方向の長さよりも若干短くなっている。また、回動仕切体２０の内部には例えば発泡スチロールから成る断熱部材（不図示）が充填されている。これにより、回動仕切体２０の断熱性能を向上させることができる。
【００２５】
冷蔵庫１の後部の下部には冷凍サイクルを運転する圧縮機（不図示）を配置する機械室（不図示）が設けられる。圧縮機には冷媒管（不図示）が接続され、冷凍サイクルの運転により冷媒が冷媒管内を流通する。冷凍サイクルの低温側に配された冷却器（不図示）と空気とが熱交換することにより冷気が生成される。冷気によって冷蔵室２内の貯蔵物が冷蔵保存されるとともに、冷凍室３内の貯蔵物が冷凍保存される。
【００２６】
図３は冷蔵庫１の扉開閉機構１０の要部の上面断面図を示している。図４は図３のＡ−Ａ断面図を示している。図３及び図４において、第１扉１１は閉じられており、回動仕切体２０は後述する閉止位置に配置されている。回動仕切体２０は第１扉１１の背面側に設けたヒンジ部２３により軸支され、第１扉１１の軸部１１ａに平行な軸を中心に回動可能になっている。ヒンジ部２３は回動仕切体２０の上端部及び下端部に設けられる。
【００２７】
回動仕切体２０の上端部には凹部２１が凹設される。凹部２１の底面にはコイルバネ（不図示）が取り付けられている。コイルバネの上端には上方に向かって突出する突出部２２が取り付けられている。これにより、突出部２２は上方に向けて付勢されている。すなわち、突出部２２は第１扉１１の軸部１１ａの軸方向に平行な方向に付勢されている。突出部２２の材質に特に限定はないが、例えば樹脂により形成される。
【００２８】
突出部２２の前面２２ａの上部は第１扉１１が開く方向（矢印ＯＰ）に向かうほど突出部２２の根元２２ｃに近づくように傾斜する傾斜面２２１ａを有する。また、突出部２２の背面２２ｂの上部は第１扉１１が閉じる方向（矢印ＣＬ）に向かうほど突出部２２の根元２２ｃに近づくように傾斜する傾斜面２２１ｂを有する。
【００２９】
冷蔵室２の天面２ｂの前端部の中央部には略直方体形状のガイド部３０が設けられる。ガイド部３０は例えば樹脂により形成され、第１扉１１の閉止時に突出部２２が対向する位置にガイド部３０は配されている。ガイド部３０の前面の下部には第１扉１１が閉じる方向（矢印ＣＬ）に向かうほど突出部２２の根元２２ｃに近づくように傾斜する傾斜面３２が形成される。ガイド部３０の底面にはガイド溝３１が左右に延びて凹設され、ガイド溝３１は突出部２２を案内する。突出部２２及びガイド部３０によりガイド機構が構成される。
【００３０】
第１扉１１及び第２扉１２の背面の周縁部にはマグネット（不図示）を内包した可撓性のパッキン４１ａ、４１ｂが設けられる。第１扉１１及び第２扉１２を閉じたときに、マグネットの吸着により第１扉１１及び第２扉１２は磁性体から成る開口部２ａの周縁部に密着する。この時、第１扉１１及び第２扉１２の開放側のパッキン４１ａ、４１ｂは回動仕切体２０の前面に密着する。
【００３１】
図５はガイド部３０の底面図を示している。図５において、ガイド部３０の上方及び下方がそれぞれ冷蔵室２の外側（冷蔵庫１の前方）及び冷蔵室２の内側を示す。ガイド溝３１の対向する第１壁面３１ａ及び第２壁面３１ｂは後方を凸に湾曲した曲面により形成されており、ガイド溝３１の平面形状は勾玉形状になっている。また、ガイド溝３１の一方端部３１ｃが前方に向かって開口しているとともに他方端部３１ｄが閉塞されている。突出部２２は一方端部３１ｃからガイド溝３１に進入する。
【００３２】
図６は第１扉１１の閉じた状態の上面断面図を示し、図７は第１扉１１の開いた状態の上面断面図を示している。上記構成の冷蔵庫１の扉開閉機構１０において、第１扉１１の閉止時には、回動仕切体２０は第１扉１１の側端面１１ｃから突出する閉止位置に配置される。この時、第２扉１２を閉じると、回動仕切体２０の前面は第１扉１１及び第２扉１２のパッキン４１ａ、４１ｂに密着する（図３参照）。これにより、第１扉１１と第２扉１２との間の隙間Ｇによる冷気漏れが防止される。
【００３３】
把手１１ｂを把持して図６の状態から第１扉１１を開き始めると回動仕切体２０の突出部２２はガイド部３０のガイド溝３１に案内される。この時、突出部２２の前面２２ａはガイド溝３１の第１壁面３１ａ（図５参照）に当接し、突出部２２は第１壁面３１ａに沿ってガイド溝３１の一方端部３１ｃ側（図５参照）へ向かって摺動する。これにより、回動仕切体２０はヒンジ部２３を中心に図６において反時計回りに回動する。
【００３４】
その後、突出部２２がガイド溝３１の一方端部３１ｃを介してガイド溝３１から抜け出ると回動仕切体２０の回動が停止される。この時、回動仕切体２０は第１扉１１の側端面１１ｃと略同一面上に配置される開放位置に配される（図７参照）。これにより、回動仕切体２０と第２扉１２との干渉が回避される。
【００３５】
第１扉１１を開放状態（図７参照）から閉じていくと、回動仕切体２０の突出部２２はガイド部３０のガイド溝３１の一方端部３１ｃからガイド溝３１に進入する。そして、突出部２２の背面２２ｂはガイド溝３１の第２壁面３１ｂ（図５参照）に当接し、突出部２２は第２壁面３１ｂに沿ってガイド溝３１の他方端部３１ｄ側（図５参照）へ向かって摺動する。これにより、回動仕切体２０はヒンジ部２３を中心に図７において時計回りに回動する。
【００３６】
その後、回動仕切体２０の前面が第１扉１１のパッキン４１ａに当接すると回動仕切体２０の回動は停止される。これにより、回動仕切体２０は第１扉１１の側端面１１ｃから突出する閉止位置に配置される。この時に、第１扉１１は閉じられる。また、第２扉１２が閉じられると回動仕切体２０は第１扉１１及び第２扉１２の背面に跨る（図３参照）。これにより、前述のように隙間Ｇによる冷気漏れが防止される。
【００３７】
閉止位置に回動仕切体２０を配した第１扉１１を開いて突出部２２が所定値よりも大きい力でガイド部３０に衝突した際に、突出部２２は付勢力に抗して矢印Ｄ（図４参照）が示すように下方向（軸方向でガイド部３０から離れる方向）に退避する。これにより、突出部２２がガイド溝３１から抜け出るため第１扉１１が開く。すなわち、突出部２２とガイド溝３１との係合が解除されて第１扉１１が開く。したがって、使用者は第１扉１１の把手１１ｂを把持することなく、回動仕切体２０を把持して第１扉１１を開くことができる。その結果、冷蔵庫１の扉開閉機構１０の使用性を向上させることができる。また、突出部２２やガイド部３０の破損を防止することができる。
【００３８】
また、突出部２２の傾斜面２２１ｂは、第１扉１１が閉じる方向（矢印ＣＬ）に向かうほど突出部２２の根元２２ｃに近づくように傾斜している。これにより、閉止位置に回動仕切体２０を配した第１扉１１を閉じる際に、突出部２２の傾斜面２２１ｂがガイド部３０の前面の傾斜面３２に当接し、突出部２２は付勢力に抗して軸方向でガイド部３０から離れる方向に円滑に移動することができる。したがって、使用者は回動仕切体２０を第１扉１１の側端面１１ｃと略同一面上に配置することなく第１扉１１を閉じることができる。その結果、冷蔵庫１の扉開閉機構１０の使用性を向上させることができる。また、突出部２２やガイド部３０の破損を防止することができる。
【００３９】
本実施形態によると、突出部２２が軸方向に付勢され、閉止位置に回動仕切体２０を配した第１扉１１を開いて所定値よりも大きい力でガイド部３０に衝突した際に軸方向に退避する。これにより、使用者は回動仕切体２０を把持して第１扉１１を開くことができる。したがって、冷蔵庫１の扉開閉機構１０の使用性を向上させることができる。また、突出部２２やガイド部３０の破損を防止することができる。
【００４０】
また、閉止位置に回動仕切体２０を配した第１扉１１を開く際に突出部２２のガイド部３０に当接する面が傾斜面２２１ａから成る。これにより、閉止位置の回動仕切体２０を把持して第１扉１１を開く際に、突出部２２が付勢力に抗して軸方向でガイド部３０から離れる方向に円滑に移動することができる。
【００４１】
また、閉止位置に回動仕切体２０を配した第１扉１１を閉じる際に突出部２２が所定値よりも大きい力でガイド部３０に衝突した際に軸方向に退避する。これにより、使用者は回動仕切体２０を第１扉１１の側端面１１ｃと略同一面上に配置することなく第１扉１１を閉じることができる。その結果、冷蔵庫１の扉開閉機構１０の使用性を向上させることができる。また、突出部２２やガイド部３０の破損を防止することができる。
【００４２】
また、閉止位置に回動仕切体２０を配した第１扉１１を閉じる際に突出部２２のガイド部３０に当接する面が傾斜面２２１ｂから成る。これにより、回動仕切体２０が閉止位置を維持した状態で第１扉１１を閉じると、突出部２２が付勢力に抗して軸方向でガイド部３０から離れる方向に円滑に移動することができる。
【００４３】
なお、本実施形態において、突出部２２及びガイド部３０をそれぞれ回動仕切体２０及び本体部５に設けているが、突出部２２及びガイド部３０をそれぞれ本体部５及び回動仕切体２０に設けてもよい。この場合でも、使用者は回動仕切体２０を把持して第１扉１１を開くことができる。したがって、冷蔵庫１の扉開閉機構１０の使用性を向上させることができる。
【００４４】
また、本実施形態において、突出部２２及びガイド部３０の両方が第１扉１１の軸部１１ａ（枢支軸）方向に平行な方向（軸方向）に付勢されて付勢力に抗して軸方向に退避可能に設けられてもよい。
【００４５】
また、本実施形態において、ガイド部３０が第１扉１１の軸部１１ａ（枢支軸）方向に平行な方向（軸方向）に付勢されて付勢力に抗して突出部２２から軸方向に退避可能に設けられるとともに、突出部２２が回動仕切体２０に固定して設けられてもよい。これにより、回動仕切体２０に凹部２１を設ける必要がなくなり、回動仕切体２０の内部に断熱部材を十分に充填することができる。したがって、回動仕切体２０の断熱性を向上させることができる。
【００４６】
また、閉止位置に回動仕切体２０を配した第１扉１１を開く際にガイド部３０の突出部２２に当接する面が傾斜面から成ってもよい。この場合、突出部２２の前面２２ａに傾斜面２２１ａを設けなくてもよく、例えば前面２２ａを垂直面により形成してもよい。
【００４７】
また、本実施形態において、ガイド部３０の前面に傾斜面３２を設けているが、傾斜面３２を設けずにガイド部３０の前面を例えば垂直面により形成してもよい。この場合でも、突出部２２の背面２２ｂに傾斜面２２１ｂを設けているので、閉止位置に回動仕切体２０を配した第１扉１１を閉じる際に突出部２２が所定値よりも大きい力でガイド部３０に衝突した際に軸方向に円滑に退避できる。
【００４８】
また、ガイド部３０の前面に傾斜面３２を設けていれば、突出部２２の背面２２ｂに傾斜面２２１ｂを設けなくてもよく、背面２２ｂを例えば垂直面により形成してもよい。
【００４９】
＜第２実施形態＞
次に、本発明の第２実施形態について説明する。図８は本実施形態の冷蔵庫１の扉開閉機構１０の第１扉１１の側面図を示しており、回動仕切体２０は閉止位置に配置されている。図９は図８のＢ−Ｂ断面図を示している。説明の便宜上、前述の図１〜図７に示した第１実施形態と同様の部分には同一の符号を付している。本実施形態では、回動仕切体２０に操作部材２５及び連結部材２６を設けた点で第１実施形態とは異なっている。その他は第１実施形態と同様である。
【００５０】
操作部材２５は、回動仕切体２０の背面２０ａの上下方向の中央部に設けられた切欠き部２０ｂに配されている。操作部材２５は板状部材２５ａと軸部２５ｂとを有する。板状部材２５ａ及び軸部２５ｂの材質に特に限定はないが、例えば樹脂により形成される。軸部２５ｂは板状部材２５ａの上端部及び下端部に設けられ、板状部材２５ａは軸部２５ａを中心に回動仕切体２０の回動方向と同じ方向に回動できるように構成されている。板状部材２５ａの一方端部２５１ａと軸部２５ｂとの間の距離は、板状部材２５ａの他方端部２５２ａと軸部２５ｂとの間の距離よりも短くなっている。操作部材２５の板状部材２５ａは他方端部２５２ａが一方端部２５１ａよりも前方になるように例えばコイルバネ等（不図示）により付勢されている。
【００５１】
連結部材２６は操作部材２５の他方端部２５２ａと突出部２２とを連結する。連結部材２６の材質に特に限定はないが、例えば金属ワイヤ等により形成される。連結部材２６は、回動仕切体２０の断熱部材内に設けられた上下方向に細長い空間（不図示）内に配されている。連結部材２６の長さは操作部材２５を操作した時に突出部２２が下方向（軸方向でガイド部３０から離れる方向）に移動してガイド部３０の下面３０ａ（図４参照）よりも下方になるように設定されている。なお、操作部材２５を操作するとは、一方端部２５１が前方へ向かうように操作部材２５の板状部材２５ａを回動させることをいう。
【００５２】
上記構成の冷蔵庫１の扉開閉機構１０においても、使用者は操作部材２５を操作することなく、第１実施形態と同様に、閉止位置に回動仕切体２０を配した第１扉１１を開閉することができる。
【００５３】
ここで、第１扉１１の閉止時に使用者が操作部材２５の一方端部２５１ａを前方に押しながら回動仕切体２０を把持すると、一方端部２５１ａが前方へ向かうとともに他方端部２５２ａが後方へ向かうように操作部材２５の板状部材２５が回動する。これにより、突出部２２は連結部材２６を介して下方向（軸方向でガイド部３０から離れる方向）に移動する。これにより、回動仕切体２０を把持して第１扉１１を開く際に、突出部２２はガイド部３０に接触することなく軸方向でガイド部３０から離れる方向に移動することができる。したがって、突出部２２及びガイド部３０の接触による損耗を低減することができる。その結果、冷蔵庫１の扉開閉機構１０の長寿命化を図ることができる。
【００５４】
本実施形態によると、第１実施形態と同様な効果を得ることができる。また、突出部２２を回動仕切体２０に設けるとともにガイド部３０を本体部５（機器本体）に設け、突出部２２と連結部材２６で連結された操作部材２５を回動仕切体２０に設け、操作部材２５を操作すると突出部２２は軸方向でガイド部３０から離れる方向に移動する。これにより、回動仕切体２０を把持して第１扉１１を開く際に、突出部２２をガイド部３０に接触させることなく、軸方向でガイド部３０から離れる方向に移動させることができる。したがって、突出部２２及びガイド部３０の接触による損耗を低減することができる。その結果、扉開閉機構１０の長寿命化を図ることができる。
【００５５】
また、操作部材２５を操作することによって突出部２２はガイド部３０のガイド溝３１から容易に抜け出ることができる。このため、突出部２２の前面２２ａや背面２２ｂに第１実施形態の傾斜面２２１ａ、２２１ｂを形成しなくてもよく、例えば前面２２ａや背面２２ｂを垂直面により形成してもよい。したがって、突出部２２の設計の自由度を高くすることができる。
【００５６】
なお、第２実施形態において、ガイド部３０を回動仕切体２０に設けるとともに突出部２２を本体部５（機器本体）に設け、ガイド部３０と連結部材２６で連結された操作部材２５を回動仕切体２０に設け、操作部材２５を操作するとガイド部３０が軸方向で突出部２２から離れる方向に移動するようにしてもよい。
【００５７】
＜第３実施形態＞
次に、本発明の第３実施形態について説明する。図１０は本実施形態の冷蔵庫１の扉開閉機構１０の第１扉１１を閉じた状態の上面断面図を示し、回動仕切体２０の第２扉１２側の端部を前方に向けて引いた状態を示している。説明の便宜上、前述の図１〜図７に示した第１実施形態と同様の部分には同一の符号を付している。本実施形態では、回動仕切体２０の突出部２２の前面２２ａの構成が第１実施形態とは異なっている。その他は第１実施形態と同様である。
【００５８】
突出部２２の前面２２ａにおいて、第２扉１２側の端部２２ｄの前面のみが第１扉１１が開く方向（矢印ＯＰ）に向かうほど突出部２２の根元２２ｃ（図４参照）に近づくように傾斜する傾斜面により形成される。一方、突出部２２の前面２２ａにおける他の部分は垂直面により形成される。
【００５９】
上記構成の冷蔵庫１の扉開閉機構１０において、第１扉１１が閉じている状態で使用者が閉止位置の回動仕切体２０を把持し、閉止位置に対して所定角度θで前方へ向けて回動仕切体２０を回動させる。この時、突出部２２の端部２２ｄの前面がガイド溝３１の第１壁面３１ａに当接する。その後、回動仕切体２０を把持して第１扉１１を開く際に、突出部２２の端部２２ｄが所定値よりも大きい力でガイド部３０に衝突すると突出部２２は付勢力に抗して下方向（軸方向でガイド部３０から離れる方向）に移動する。これにより、第１扉１１が開く。
【００６０】
なお、回動仕切体２０の閉止位置に対する前方への回動角度が所定角度θ未満の場合には、突出部２２の端部２２ｄの傾斜面はガイド溝３１の第１壁面３１ａに当接しない。このため、例えば冷蔵室２から取り出される貯蔵物が閉止位置の回動仕切体２０に衝突した場合でも使用者の意思に反する第１扉１１の開成を低減することができる。
【００６１】
なお、閉止位置に回動仕切体２０を配した第１扉１１を閉じる際の動作は、第１実施形態と同様な動作となる。
【００６２】
本実施形態によると、第１実施形態と同様な効果を得ることができる。また、突出部２２の前面２２ａにおいて第２扉１２側の端部２２ｄの前面のみが、第１扉１１が開く方向（矢印ＯＰ）に向かうほど突出部２２の根元２２ｃに近づくように傾斜する傾斜面により形成されるとともに、突出部２２の前面２２ａにおける他の部分は垂直面により形成される。これにより、例えば冷蔵室２から取り出される貯蔵物が閉止位置の回動仕切体２０に衝突した場合でも使用者の意思に反する第１扉１１の開成を低減することができる。
【００６３】
なお、第３実施形態において、第２実施形態の操作部材２５及び連結部材２６を回動仕切体２０に設けて、操作部材２５を操作すると突出部２２が軸方向でガイド部３０から離れる方向に移動させてもよい。
【００６４】
また、第１〜第３実施形態において、ガイド部３０はガイド溝３１を有するものとして説明しているが、ガイド溝３１を有するガイド部３０に替えて、例えば所定の間隔をあけて前後に配されて互いに独立して形成された２つの突出壁をガイド部として構成し、突出部２２を案内してもよい。
【００６５】
また、第１〜第３実施形態において、回動仕切体２０を閉止位置から開放位置へ回動する方向に付勢するねじりコイルバネをヒンジ部２３に配してもよい。これにより、第１扉１１を開く際に回動仕切体２０を開放位置に確実に配置することができる。したがって、第２扉１２と回動仕切体２０との干渉を確実に防止することができる。
【００６６】
また、第１〜第３実施形態において、回動仕切体２０を開放位置から閉止位置へ回動する方向に付勢するねじりコイルバネをヒンジ部２３に配してもよい。これにより、第１扉１１及び第２扉１２を閉じた際に回動仕切体２０をパッキン４１ａ、４１ｂに確実に密着させることができる。したがって、第１扉１１と第２扉１２との間の隙間Ｇによる冷気漏れを確実に防止することができる。
【００６７】
第１〜第３実施形態において、扉開閉機構１０を備えた冷蔵庫１について説明しているが、扉開閉機構１０を他の機器に設けてもよい。また、第１扉１１及び第２扉１２が左右に配されているが、上下や前後に配されていてもよい。
【産業上の利用可能性】
【００６８】
本発明は、開口部の中程を境に両側を覆う第１、第２扉を有する扉開閉機構及びそれを備えた冷蔵庫に利用することができる。
【符号の説明】
【００６９】
１        冷蔵庫
２        冷蔵室
２ａ      開口部
２ｂ      天面
３        冷凍室
３ａ      扉
５        本体部
１０      扉開閉機構
１１      第１扉
１２      第２扉
１１ａ、１２ａ      軸部
１１ｂ、１２ｂ      把手
１１ｃ    側端面
２０      回動仕切体
２０ａ    背面
２１      凹部
２２      突出部
２２ａ    前面
２２ｂ    背面
２２ｃ    根元
２２ｄ    端部
２３      ヒンジ部
２５      操作部材
２６      連結部材
３０      ガイド部
３１      ガイド溝
３１ａ    第１壁面
３１ｂ    第２壁面
３１ｃ    一方端部
３１ｄ    他方端部
３２      傾斜面
４１ａ、４１ｂ    パッキン
２２１ａ、２２１ｂ    傾斜面
【図１】
2014214993.tif 000003
【図２】
2014214993.tif 000004
【図３】
2014214993.tif 000005
【図４】
2014214993.tif 000006
【図５】
2014214993.tif 000007
【図６】
2014214993.tif 000008
【図７】
2014214993.tif 000009
【図８】
2014214993.tif 000010
【図９】
2014214993.tif 000011
【図１０】
2014214993.tif 000012